(57)【要約】【課題】円弧状のスライドドアを有するトイレのドア装置に、走行手段が当接する緩衝材とドアの戻り機構をなす定荷重ばねとの両方の取付作業を、容易に短時間に行うことができるようにする。【解決手段】ドア８が開放端に到達したときに走行手段７が当接する緩衝材２５と、閉止端側へ移動されるドア８に開放端側への戻り力を付与する定荷重ばね２６とを、同一支持部材２３上に配置してなるばねユニット１０を、定荷重ばね２６の一端を走行手段７の軸１２に連結させて走行手段７とともに開閉案内レール５内に組み込み、かつ、支持部材２３を開閉案内レール５の戸尻側端部に止着して設ける。  【選択図】  図２
2006307467.tif 000002
【特許請求の範囲】
【請求項１】
トイレの外側に向かって凸に湾曲した円弧状の開閉案内レールを、トイレの前方開口部の上部に連続して架設し、かつ、該開閉案内レールの曲率とほぼ同一の曲率で外側に向かって湾曲させた円弧状のドアを、開閉案内レール内を走行可能な走行手段を介して開閉案内レールに移動可能に吊支し、該ドアの移動により前方開口部を開閉するようにしたトイレのドア装置において、
ドアが開放端に到達したときに走行手段が当接する緩衝材と、閉止端側へ移動されるドアに開放端側への戻り力を付与する定荷重ばねとを、同一支持部材上に配設してなるばねユニットを、定荷重ばねの一端を走行手段の一部に連結させて、走行手段とともに開閉案内レール内に組み込み、かつ、前記支持部材を、開閉案内レールの戸尻側端部に止着して設けたことを特徴とするトイレのドア装置。
【請求項２】
定荷重ばねが、巻取ドラムにぜんまいばねを巻装したものよりなり、ぜんまいばねの引き出し先端をばねユニットに止着し、かつ、走行手段上の軸に巻取ドラムの中心孔を回転可能に嵌合させて、この巻取ドラムを走行手段上に設けた請求項１記載のトイレのドア装置。
【請求項３】
支持部材に、ドアが閉止端側から開放端近傍に移動されてきたときに、走行手段の転動子に圧接し、この転動子の移動に制動を加える板ばね手段を設けた請求項１または２に記載のトイレのドア装置。
【発明の詳細な説明】
【技術分野】
【０００１】
本発明は、吊り下げ式のスライドドアを設けたトイレのドア装置に関する。
【背景技術】
【０００２】
従来、トイレの外側に向かって凸に湾曲した円弧状の開閉案内レールを、トイレの前方開口部の一端上部から他端上部を経てトイレブースの上部まで連続して架設し、かつ、該開閉案内レールの曲率とほぼ同一の曲率で外側に向かって湾曲している円弧状のドアを、開閉案内レール内を走行可能な走行手段を介して、開閉案内レールに移動可能に吊支し、ドアの移動により、前方開口部を開閉するようにしたトイレのドア装置は、本出願人より既に出願されている特許文献１及び特許文献２等において知られている。
【０００３】
特許文献１には、開閉案内レールの開放端部側(戸尻側)に支持部材を止着し、支持部材におけるレールの開放端部と反対側(戸先側)に、走行手段が当接する緩衝材を設けたものが開示されている。
【０００４】
特許文献２には、円弧の中心側となるレール内側面側に、ドアの戻り機構をなす定荷重ばねの先端部を止着し、巻取ドラムを走行手段のブラケットに回転可能に設けたものが開示されている。
【特許文献１】特許第３３４５８０１号公報
【特許文献２】特開２０００−１２０３２４号公報
【発明の開示】
【発明が解決しようとする課題】
【０００５】
円弧状のスライドドアを有するトイレのドア装置に、走行手段が当接する緩衝材と、ドアの戻り機構をなす定荷重ばねとの両方を設けようとする場合、特許文献１に開示されている緩衝構造と、特許文献２に開示されているドアの戻り機構をなす定荷重ばねの構造とを組み合わせることによって可能となる。しかし、この組み合わせ構造では、開閉案内レールの開放端部側で、支持部材を止着する取付作業と定荷重ばねの端部を止着する取付作業の、２つの取付作業が必要となる。そのため、両者の取付作業に時間がかかり、作業性が悪いという問題点がある。
【０００６】
本発明は、上述のような従来の課題を解決するためになされたものであって、円弧状のスライドドアを有するトイレのドア装置に、走行手段が当接する緩衝材と、ドアの戻り機構をなす定荷重ばねとの両方の取付作業を、容易に短時間に行うことが可能なトイレのドア装置を提供することを目的としている。
【課題を解決するための手段】
【０００７】
本発明によると、上記課題は、次のようにして解決される。
（１）トイレの外側に向かって凸に湾曲した円弧状の開閉案内レールを、トイレの前方開口部の上部に連続して架設し、かつ、該開閉案内レールの曲率とほぼ同一の曲率で外側に向かって湾曲させた円弧状のドアを、開閉案内レール内を走行可能な走行手段を介して開閉案内レールに移動可能に吊支し、該ドアの移動により前方開口部を開閉するようにしたトイレのドア装置において、ドアが開放端に到達したときに走行手段が当接する緩衝材と、閉止端側へ移動されるドアに開放端側への戻り力を付与する定荷重ばねとを、同一支持部材上に配設してなるばねユニットを、定荷重ばねの一端を走行手段の一部に連結させて、走行手段とともに開閉案内レール内に組み込み、かつ、前記支持部材を、開閉案内レールの戸尻側端部に止着して設ける。
【０００８】
（２）上記(１)項において、定荷重ばねが、巻取ドラムにぜんまいばねを巻装したものよりなり、ぜんまいばねの引き出し先端をばねユニットに止着し、かつ、走行手段上の軸に巻取ドラムの中心孔を回転可能に嵌合させて、この巻取ドラムを走行手段上に設ける。
【０００９】
（３）上記(１)または(２)項のいずれかにおいて、支持部材に、ドアが閉止端側から開放端近傍に移動されてきたときに、走行手段の転動子に圧接し、この転動子の移動に制動を加える板ばね手段を設ける。
【発明の効果】
【００１０】
本発明によると、次のような効果を奏することができる。
請求項１記載の発明によれば、走行手段が当接する緩衝材とドアの戻り機構をなす定荷重ばねとを支持部材に取り付け、これら緩衝材と定荷重ばねとを一体化してなるばねユニットを使用し、定荷重ばねの一端を走行手段の一部に連結させた状態で、ばねユニットを走行手段とともに開閉案内レール内に組み込むようにしているので、開閉案内レールの戸尻側端部に支持部材を止着するだけで、緩衝材と定荷重ばねを同時に開閉案内レールに取り付けることができる。これにより、取付作業を、容易に短時間に行うことができ、作業性の向上が図れる。
【００１１】
請求項２記載の発明によれば、定荷重ばねと走行手段とは、巻取ドラムの中心孔に走行手段上の軸を挿入させるだけで容易に連結させることができ、取付作業をさらに容易に短時間に行うことができる。
【００１２】
請求項３記載の発明によれば、ドアが閉止端側から開放端近傍に移動されてきたときに、走行手段の転動子の移動に制動を加える板ばね手段の取り付けも同時に行うことができる。
【発明を実施するための最良の形態】
【００１３】
以下、本発明の実施形態を、図面に基づいて説明する。
図１〜図６は、本発明の一実施形態を備える２個のトイレを並設した例と、その各部の詳細を示す。
【００１４】
図１に示すように、並設されている２個のトイレブースは、それぞれ、両側の側壁(１)及び後壁(２)により仕切られ、前方は大きく開放されて、前方開口部(３)となっている。
【００１５】
前方開口部(３)には、図１の左方の側壁(１)の前端から、右方の側壁(１)の方向に延びる前面板(４)が、左方の側壁(１)に取り付けられている。右方の側壁(１)の前端からは、左方の側壁(１)の方向に延びる幅狭の前面板(4a)が、右方の側壁(１)に取り付けられている。この前面板(4a)は、トイレブース間では、前面板(４)の延長部分とされている。
【００１６】
前方開口部(３)の上部には、外側に向かって凸の平面視ほぼ半円弧状をなす開閉案内レール(５)が設置されている。図１に示すように、開閉案内レール(５)は、右方の前面板(4a)の上部から前方開口部(３)上を通って、左方の前面板(４)の上部に至り、さらに左方の側壁(１)の上部に沿って、トイレブースの中間の上部まで連続して延びるようにして、一端側を側壁(１)または前面板(４)(4a)に止着した支持金具(６)により、水平な状態で保持されている。
【００１７】
図１に示すように、開閉案内レール(５)には、２個の走行手段(７)を介して、この開閉案内レール(５)とほぼ同一の曲率を持つ円弧状のドア(８)が吊支されている。２個の走行手段(７)は、ドア(８)の上端で、左右端近く、すなわち戸先側の位置と戸尻側の位置とに分かれて配設されている。
【００１８】
同じく、図１に示すように、ドア(８)は、おおよそ１／４円弧状をなし、前方開口部(３)を覆うに十分の幅を有するものである。図１中の左側のトイレは、ドア(８)が開放された状態(「空き」状態)、右側のトイレは、ドア(８)が前方開口部(３)を閉止した状態(「使用中」状態)を示している。
【００１９】
図２は、図１のII−II線に沿う拡大断面図、図３は、図２のIII−III線に沿う断面図、図４は、図２のIＶ−IＶ線に沿う断面図である。
【００２０】
図１〜図４に示すように、開閉案内レール(５)は、アルミニュームの押し出し材として作られ、図４に示すように、水平の上片(5a)と左右の両側片(5b)(5b)、及び下片(5c)とを有して、断面がほぼ矩形状をした角筒材として形成されている。下片(5c)の中央には、長手方向の全長にわたって、連続したガイド溝(13)が設けられている。戸尻寄りの上片(5a)には、調整孔(14)が上下に貫通して設けられている。開閉案内レール(５)の両端、すなわち戸先側端と戸尻側端との位置には、図１に示すように、エンドカバー(９)が取り付けられている。さらに戸尻側端では、図１〜図３に示すように、エンドカバー(９)の内側に、ばねユニット(10)が止着されている。
【００２１】
各走行手段(７)は、図６に単体として示してあるように、工具であるプラスドライバーの先端が嵌合される十字溝(15c)が上端中央に設けられた頭部(15a)を上部に有し、かつ下部に雄ねじ部(15b)を有する吊支ボルト(15)を備えている。
【００２２】
吊支ボルト(15)における雄ねじ部(15b)の上端と頭部(15b)との間には、ランナ本体(16a)と、ブラケット(16b)と、樹脂製のガイドローラ(17)と、これらを吊支ボルト(15)から抜け止めするＥ型止め輪(18)とが回転自在に取り付けられている。雄ねじ部(15b)には、ロックナット(19)が螺合している。
【００２３】
ブラケット(16b)は、戸尻側に配置される走行手段(７)にだけ設けられ、戸先側の走行手段(７)には設けられていない。また、戸尻側に配置される走行手段(７)は、ばねユニット(10)とともに開閉案内レール(５)に組み込まれるが、戸先側に配置される走行手段(７)は、それ単独で開閉案内レール(５)内に組み込まれる。しかし、開閉案内レール(５)内に組み込まれた状態では、戸先側の走行手段(７)は、ばねユニット(10)と連結されていないだけで、その動作は戸尻側の走行手段(７)と同じであるので、以下の説明では、戸尻側に配置される走行手段(７)を代表して説明する。
【００２４】
ランナ本体(16a)には、吊支ボルト(15)を挟んで、その両側に、転動子としての樹脂製のローラ(20)が、開閉案内レール(５)の長手方向に転動できるようにして、１対ずつ、長手方向に並べて取り付けられている。
【００２５】
ブラケット(16b)は、ほぼ水平状の板状部材で、一端側を吊支ボルト(15)に回転可能に取り付け、かつ、図示していないが、中間部をランナ本体(16a)の一部に回転不能に係合させて、吊支ボルト(15)からほぼ直角に延ばされた状態にして、ランナ本体(16a)の直下に配設されている。ブラケット(16b)の先端部上面には、軸(12)が上向き突設されている。
【００２６】
ばねユニット(10)は、図２及び図３、ならびに図５に示すように、戸尻側で開閉案内レール(11)の端部に、エンドカバー(９)とともに止着された支持部材(23)と、この支持部材(23)の前面に、順に止着されている板ばね(24)及び緩衝材(25)と、開閉案内レール(５)の側片(5b)と対向している支持部材(23)の一側面側に連結配置された定荷重ばね(26)とにより構成されている。
【００２７】
板ばね(24)は、一端部が支持部材(23)の前面に止着され、かつ他端部は、緩衝材(25)の上方を覆って、戸先側に大きく延出し、図２及び図３に示すように、ローラ(20)の上面に圧接し、ローラ(20)を制動することができるようになっている。
【００２８】
緩衝材(25)は、軟質ゴムまたは軟質プラスチック等のクッション材(25a)と、このクッション材(25a)の前後面に固着されたプレート(25b)(25b)とによりブロック状に形成されている。片側のプレート(25b)は、支持部材(23)に、板ばね(24)を介して止着され、図２及び図３に示すように、ローラ(20)と当接可能に配設されている。
【００２９】
定荷重ばね(26)は、巻取ドラム(26a)にぜんまいばね(26b)を巻き付けたいわゆるコンストン（商品名）である。定荷重ばね(26)は、閉止端(戸尻)側へ移動されるドア(８)に開放端側への戻り力を付与するもので、ぜんまいばね(26b)の先端は、支持部材(23)の一側面に止着され、巻取ドラム(26a)は、中心孔(26c)にブラケット(16b)上の軸(12)を回転可能に挿入係合させて、ブラケット(16)上に配置されている。
【００３０】
ばねユニット(10)は、戸尻側の走行手段(７)が開閉案内レール(５)に取り付けられるとき、その走行手段(７)と同時に組み込まれる。この組み込み作業では、軸(12)に巻取ドラム(26a)を装着したブラケット(16b)の先端を、開閉案内レール(５)閉止端より前方に向け、かつばねユニット(10)を走行手段(７)の後側(戸尻側)に配置する。この状態で走行手段(７)とばねユニット(10)とを開閉案内レール(５)内に挿入し、ばねユニット(10)を戸尻側で開閉案内レール(５)の内側に止着し、また支持部材(23)にエンドカバー(９)を固定する。
【００３１】
これにより、ばねユニット(10)と走行手段(７)とエンドカバー(９)の取り付けは完了し、ぜんまいばね(26b)は、図３に示すように、開閉案内レール(５)の円弧の曲率中心側となるレール内側面に外面を対向させた状態でセットされる。
【００３２】
このようにして、開閉案内レール(５)に取り付けられた走行手段(７)は、図２〜図４に示すように、開閉案内レール(５)の両側下片(5c)上にローラ(20)が乗り、かつ、ガイド溝(13)から吊支ボルト(15)が垂下し、ガイド溝(13)内には、吊支ボルト(15)に取り付けられているガイドローラ(11)が位置している。
【００３３】
ドア(８)の上面(8a)には、走行手段(７)が取り付けられる位置に、ねじ孔(21)が予め設けられている。したがって、ドア(８)の取り付けでは、ドア(８)のねじ孔(21)に吊支ボルト(15)の雄ねじ部(15b)をねじ込むことによって連結し、吊支することができる。すなわち、各ねじ孔(21)の位置において、予めロックナット(19)とばね座金(22)等を取り付けた吊支ボルト(15)の雄ねじ部(15b)を、それぞれのねじ孔(21)にねじ込み連結させる。
【００３４】
この連結では、吊支ボルト(15)のねじ込み量に応じて、ローラ(20)とドア(８)の上面(8a)との距離、すなわち、開閉案内レール(５)５とドア(８)の上面(8a)との距離が変動する。
【００３５】
このようにして開閉案内レール(５)に吊支されたドア(８)は、開または閉方向に引くと、ローラ(20)が開閉案内レール(５)の下片(5c)上を転動し、開閉案内レール(５)に沿って開または閉方向に移動する。なお、この移動時、ガイド溝(13)内では、ガイドローラ(11)がガイド溝(13)の内面に接触して回転し、開閉案内レール(５)に対する吊支ボルト(15)の滑動を助ける。
【００３６】
ドア(８)が閉方向に移動するとき、走行手段(７)と連結されているぜんまいばね(26b)は、巻取ドラム(26a)から、開閉案内レール(５)の円弧の曲率中心側となる側片(5b)の内側面に沿って引き出され、開動作に定荷重の引き戻し力を与える。また、閉止動作後、ドア(８)を閉ロックしていない状態で離すと、ぜんまいばね(26b)の戻し力により、ドア(８)は開方向に自動的に移動される。
【００３７】
ドア(８)が開放端に到達する直前では、板ばね(24)の下面にローラ(20)が圧接し、ローラ(20)が制動され、ドア(８)の戻り速度は減速される。さらに、ドア(８)が開放端側に戻ると、ローラ(20)が緩衝材(25)に当接し、走行手段(７)及びドア(８)は、衝撃なく停止させられる。
【００３８】
図２及び図３の一点鎖線は、走行手段(７)は、ローラ(20)が板ばね(24)及び緩衝材(25)のいずれとも当接していない位置に走行手段(７)が移動した状態を示し、同じく実線は、ローラ(20)が板ばね(24)及び緩衝材(25)とそれぞれ当接した位置に走行手段(７)が移動した状態を示している。
【００３９】
したがって、この実施形態の構造によれば、走行手段(７)が当接する緩衝材(25)と、ドア(８)の戻り機構をなす定荷重ばね(26)と、板ばね(24)とを、支持部材(23)に取り付けて一体化してなるばねユニット(10)を使用し、これを、定荷重ばね(26)の一端を、走行手段(７)の一部である軸(12)に巻取ドラム(26a)を連結させた状態で、走行手段(７)とともに、開閉案内レール(５)内に組み込むことができるので、開閉案内レール(５)の戸尻側端部に支持部材(23)を止着するだけで、緩衝材(25)と定荷重ばね(26)と板ばね(26)との取り付けを、同時に簡単に行うことができる。これにより、取付作業を、容易に短時間に行うことができ、作業性の向上が図れる。
【図面の簡単な説明】
【００４０】
【図１】本発明の一実施形態を備えるトイレを２個並設したものの平面図である。
【図２】図１のII−II線に沿う拡大断面図である。
【図３】図２のIII−III線に沿う断面図である。
【図４】図２のIＶ−IＶ線に沿う断面図である。
【図５】本実施形態におけるばねユニット単体の側面図である。
【図６】本実施形態における走行手段単体の側面図である。
【符号の説明】
【００４１】
(１)側壁
(２)後壁
(３)前方開口部
(４)前面板
(4a)前面板
(５)開閉案内レール
(5a)上片
(5b)側片
(5c)下片
(６)支持金具
(７)走行手段
(８)ドア
(8a)上面
(９)エンドカバー
(10)ばねユニット
(12)軸
(13)ガイド溝
(14)調整孔
(15)吊支ボルト
(15a)頭部
(15b)雄ねじ部
(15c)十字溝
(16a)ランナ本体
(16b)ブラケット
(17)ガイドローラ
(18)Ｅ型止め輪
(19)ロックナット
(20)ローラ(転動子)
(21)ねじ孔
(22)座金
(23)支持部材
(24)板ばね(板ばね手段)
(25)緩衝材
(25a)クッション材
(25b)プレート
(26)定荷重ばね
(26a)巻取ドラム
(26b)ぜんまいばね
(26c)中心孔
【図１】
2006307467.tif 000003
【図２】
2006307467.tif 000004
【図３】
2006307467.tif 000005
【図４】
2006307467.tif 000006
【図５】
2006307467.tif 000007
【図６】
2006307467.tif 000008